(57)【要約】      （修正有）【課題】ワイヤレス送信用の追加のエラー保護を提供する。【解決手段】パケットの残りの部分に基づいて生成された第1のエラーチェック値と本装置によって知られているかまたは予想される情報およびパケット内の送信された他の情報に基づいて生成された第2のエラーチェック値とを備えるパケットを別の装置から受信し、第1のエラーチェック値とパケットの残りの部分に関して本装置によって生成されたエラーチェック値とを比較する第1のエラーチェックを実行し、第2のエラーチェック値およびパケット内の送信された他の情報に基づいて知られているかまたは予想される情報の値を再構築し、再構築された値と本装置によって知られているかまたは予想される情報の予想値とを比較する第2のエラーチェックを実行し、第1のエラーチェックが失敗するかまたは再構築された値が予想値と異なる場合のいずれかの場合にパケットを破棄する。【選択図】図５
2017112628.tif 000002
【特許請求の範囲】
【請求項１】
ワイヤレス通信のための装置であって、
パケットの残りの部分に基づいて生成された第1のエラーチェック値と、前記装置によって知られているかまたは予想される情報および前記パケット内の送信された他の情報に基づいて生成された第2のエラーチェック値とを備える前記パケットを別の装置から受信するように構成された受信機であって、前記パケット内の送信された前記他の情報は前記第1のエラーチェック値を含まない、受信機と、
前記第1のエラーチェック値と、前記パケットの前記残りの部分に関して前記装置によって生成されたエラーチェック値との比較に基づいて前記パケットの第1のエラーチェックを実行し、
前記第1のエラーチェックが合格する場合、前記第2のエラーチェック値および前記パケット内の送信された前記他の情報に基づいて、前記知られているかまたは予想される情報の値を再構築し、
前記再構築された値と、前記装置によって知られているかまたは予想される前記情報の予想値との比較に基づいて前記パケットの第2のエラーチェックを実行し、
前記第1のエラーチェックが失敗する場合、または前記再構築された値が前記予想値と異なる場合のいずれかにおいて前記パケットを破棄する
ように構成された処理システムと
を備える、装置。
【請求項２】
前記再構築された値は、前記第2のエラーチェック値と、前記パケット内の受信された前記第2のエラーチェック値を生成するために前記別の装置によって使用される前記情報とを用いて論理XOR演算を実行することによって生成される、請求項1に記載の装置。
【請求項３】
前記予想されるかまたは知られている値は、フレーム識別子フィールドの少なくとも一部の対応値を備える、
請求項1に記載の装置。
【請求項４】
前記装置によって知られているかまたは予想される前記情報、または、前記パケット内の送信された前記他の情報は、ブロック肯定応答(BA)ビットマップフィールドの少なくとも一部、予備フィールド、追加データフィールド、またはACKモードフィールドのうちの1つまたは複数の対応値を備える、請求項1に記載の装置。
【請求項５】
前記第2のエラーチェック値は、フレーム識別子フィールドの一部、開始シーケンス制御フィールドの一部、受信アドレスフィールドの一部、または受信アドレス(RA)フィールドの一部のうちの少なくとも1つまたは複数内に提供される、
請求項1に記載の装置。
【請求項６】
前記第2のエラーチェック値は、前記パケットの受信アドレス(RA)フィールド内に提供され、
前記装置によって知られているかまたは予想される前記情報、または、前記パケット内の送信された前記他の情報は、好ましい変調およびコーディング方式(MCS)フィールド、アップリンクデータ表示のうちの少なくとも1つの対応値を備える、
請求項1に記載の装置。
【請求項７】
前記装置によって知られているかまたは予想される前記情報、または、前記パケット内の送信された前記他の情報は、チェックビーコン、部分的Timing Synchronization Function (TSF)、追加Null Data Packet (NDP)フィールド、アップリンク表示、またはダウンリンク表示のうちの少なくとも1つの対応値を備える、
請求項1に記載の装置。
【請求項８】
前記第2のエラーチェック値は、前記パケットのNDPページングフレーム識別子(P_ID)フィールド、前記パケットのACK_IDフィールド、または前記パケットのCTS_IDフィールドのうちの少なくとも1つ内に提供される、
請求項1に記載の装置。
【請求項９】
前記装置によって知られているかまたは予想される前記情報、または、前記パケット内の送信された前記他の情報は、追加データフィールド、持続時間フィールド、遅延逆方向グラント(RDG)フィールド、ACKモードフィールド、MCSフィードバックフィールドのうちの少なくとも1つの対応値を備える、
請求項1に記載の装置。
【請求項１０】
前記再構築された値は、前記第2のエラーチェック値と、前記第2のエラーチェック値を生成するためにデバイスによって使用される前記情報とを用いて論理関数を複数回、適用することによって生成される、請求項1に記載の装置。
【請求項１１】
前記再構築された値は、前記第2のエラーチェック値と、前記第2のエラーチェック値を生成するためにデバイスによって使用される前記情報とを用いて論理関数を再帰的に適用することによって生成される、請求項1に記載の装置。
【請求項１２】
ワイヤレス通信のための装置であって、
パケットの残りの部分に基づいて生成された第1のエラーチェック値と、前記装置によって知られているかまたは予想される情報および前記パケット内の送信された他の情報に基づいて生成された第2のエラーチェック値とを備える前記パケットを別の装置から受信するための手段であって、前記パケット内の送信された前記他の情報は前記第1のエラーチェック値を含まない、手段と、
前記第1のエラーチェック値と、前記パケットの前記残りの部分に関して前記装置によって生成されたエラーチェック値との比較に基づいて前記パケットの第1のエラーチェックを実行するための手段と、
前記第1のエラーチェックが合格する場合、前記第2のエラーチェック値および前記パケット内の送信された前記他の情報に基づいて、前記知られているかまたは予想される情報の値を再構築するための手段と、
前記再構築された値と、前記装置によって知られているかまたは予想される前記情報の予想値との比較に基づいて前記パケットの第2のエラーチェックを実行するための手段と、
前記第1のエラーチェックが失敗する場合、または前記再構築された値が前記予想値と異なる場合のいずれかにおいて前記パケットを破棄するための手段と
を備える、装置。
【請求項１３】
前記再構築された値は、前記第2のエラーチェック値と、前記パケット内の受信された前記第2のエラーチェック値を生成するために前記別の装置によって使用される前記情報とを用いて論理XOR演算を実行することによって生成される、請求項12に記載の装置。
【請求項１４】
前記予想されるかまたは知られている値は、フレーム識別子フィールドの少なくとも一部の対応値を備える、
請求項12に記載の装置。
【請求項１５】
前記装置によって知られているかまたは予想される前記情報、または、前記パケット内の送信された前記他の情報は、ブロック肯定応答(BA)ビットマップフィールドの少なくとも一部、予備フィールド、追加データフィールド、またはACKモードフィールドのうちの1つまたは複数の対応値を備える、
請求項12に記載の装置。
【請求項１６】
前記第2のエラーチェック値は、フレーム識別子フィールドの一部、開始シーケンス制御フィールドの一部、受信アドレスフィールドの一部、または受信アドレス(RA)フィールドの一部のうちの少なくとも1つまたは複数内に提供される、
請求項12に記載の装置。
【請求項１７】
前記第2のエラーチェック値は、前記パケットの受信アドレス(RA)フィールド内に提供され、
前記装置によって知られているかまたは予想される前記情報、または、前記パケット内の送信された前記他の情報は、好ましい変調およびコーディング方式(MCS)フィールド、アップリンクデータ表示のうちの少なくとも1つの対応値を備える、
請求項12に記載の装置。
【請求項１８】
前記装置によって知られているかまたは予想される前記情報、または、前記パケット内の送信された前記他の情報は、チェックビーコン、部分的Timing Synchronization Function (TSF)、追加Null Data Packet (NDP)フィールド、アップリンク表示、またはダウンリンク表示のうちの少なくとも1つの対応値を備える、
請求項12に記載の装置。
【請求項１９】
前記第2のエラーチェック値は、前記パケットのNDPページングフレーム識別子(P_ID)フィールド、前記パケットのACK_IDフィールド、または前記パケットのCTS_IDフィールドのうちの少なくとも1つ内に提供される、
請求項12に記載の装置。
【請求項２０】
前記装置によって知られているかまたは予想される前記情報、または、前記パケット内の送信された前記他の情報は、追加データフィールド、持続時間フィールド、遅延逆方向グラント(RDG)フィールド、ACKモードフィールド、MCSフィードバックフィールドのうちの少なくとも1つの対応値を備える、
請求項12に記載の装置。
【請求項２１】
前記第2のエラーチェック値は、前記別の装置によって知られているかまたは予想される前記情報および前記他の情報を用いて論理関数を複数回、適用することによって生成される、請求項12に記載の装置。
【請求項２２】
前記第2のエラーチェック値は、前記別の装置によって知られているかまたは予想される前記情報および前記他の情報を用いて論理関数を再帰的に適用することによって生成される、請求項12に記載の装置。
【請求項２３】
装置によるワイヤレス通信のための方法であって、
パケットの残りの部分に基づいて生成された第1のエラーチェック値と、前記装置によって知られているかまたは予想される情報および前記パケット内の送信された他の情報に基づいて生成された第2のエラーチェック値とを備える前記パケットを別の装置から受信するステップであって、前記パケット内の送信された前記他の情報は前記第1のエラーチェック値を含まない、ステップと、
前記第1のエラーチェック値と、前記パケットの前記残りの部分に関して前記装置によって生成されたエラーチェック値との比較に基づいて前記パケットの第1のエラーチェックを実行するステップと、
前記第1のエラーチェックが合格する場合、前記第2のエラーチェック値および前記パケット内の送信された前記他の情報に基づいて、前記知られているかまたは予想される情報の値を再構築するステップと、
前記再構築された値と、前記装置によって知られているかまたは予想される前記情報の予想値との比較に基づいて前記パケットの第2のエラーチェックを実行するステップと、
前記第1のエラーチェックが失敗する場合、または前記再構築された値が前記予想値と異なる場合のいずれかにおいて前記パケットを破棄するステップと
を備える、方法。
【請求項２４】
前記再構築された値は、前記第2のエラーチェック値と、前記パケット内の受信された前記第2のエラーチェック値を生成するために前記別の装置によって使用される前記情報とを用いて論理XOR演算を実行することによって生成される、請求項23に記載の方法。
【請求項２５】
前記予想されるかまたは知られている値は、フレーム識別子フィールドの少なくとも一部の対応値を備える、
請求項23に記載の方法。
【請求項２６】
前記装置によって知られているかまたは予想される前記情報、または、前記パケット内の送信された前記他の情報は、ブロック肯定応答(BA)ビットマップフィールドの少なくとも一部、予備フィールド、追加データフィールド、またはACKモードフィールドのうちの1つまたは複数の対応値を備える、
請求項23に記載の方法。
【請求項２７】
前記第2のエラーチェック値は、フレーム識別子フィールドの一部、開始シーケンス制御フィールドの一部、受信アドレスフィールドの一部、または受信アドレス(RA)フィールドの一部のうちの少なくとも1つまたは複数内に提供される、
請求項23に記載の方法。
【請求項２８】
前記第2のエラーチェック値は、前記パケットの受信アドレス(RA)フィールド内に提供され、
前記装置によって知られているかまたは予想される前記情報、または、前記パケット内の送信された前記他の情報は、好ましい変調およびコーディング方式(MCS)フィールド、アップリンクデータ表示のうちの少なくとも1つの対応値を備える、
請求項23に記載の方法。
【請求項２９】
前記装置によって知られているかまたは予想される前記情報、または、前記パケット内の送信された前記他の情報は、チェックビーコン、部分的Timing Synchronization Function (TSF)、追加Null Data Packet (NDP)フィールド、アップリンク表示、またはダウンリンク表示のうちの少なくとも1つの対応値を備える、
請求項23に記載の方法。
【請求項３０】
前記第2のエラーチェック値は、前記パケットのNDPページングフレーム識別子(P_ID)フィールド、前記パケットのACK_IDフィールド、または前記パケットのCTS_IDフィールドのうちの少なくとも1つ内に提供される、
請求項23に記載の方法。
【請求項３１】
前記装置によって知られているかまたは予想される前記情報、または、前記パケット内の送信された前記他の情報は、追加データフィールド、持続時間フィールド、遅延逆方向グラント(RDG)フィールド、ACKモードフィールド、MCSフィードバックフィールドのうちの少なくとも1つの対応値を備える、
請求項23に記載の方法。
【請求項３２】
前記第2のエラーチェック値は、前記別の装置によって知られているかまたは予想される前記情報および前記他の情報を用いて論理関数を複数回、適用することによって生成される、請求項23に記載の方法。
【請求項３３】
前記第2のエラーチェック値は、前記別の装置によって知られているかまたは予想される前記情報および前記他の情報を用いて論理関数を再帰的に適用することによって生成される、請求項23に記載の方法。
【請求項３４】
装置によるワイヤレス通信のためのコンピュータプログラムであって、前記コンピュータプログラムは命令を含み、前記命令は、
パケットの残りの部分に基づいて生成された第1のエラーチェック値と、前記装置によって知られているかまたは予想される情報および前記パケット内の送信された他の情報に基づいて生成された第2のエラーチェック値とを備える前記パケットを別の装置から受信するステップであって、前記パケット内の送信された前記他の情報は前記第1のエラーチェック値を含まない、ステップと、
前記第1のエラーチェック値と、前記パケットの前記残りの部分に関して前記装置によって生成されたエラーチェック値との比較に基づいて前記パケットの第1のエラーチェックを実行するステップと、
前記第1のエラーチェックが合格する場合、前記第2のエラーチェック値および前記パケット内の送信された前記他の情報に基づいて、前記知られているかまたは予想される情報の値を再構築するステップと、
前記再構築された値と、前記装置によって知られているかまたは予想される前記情報の予想値との比較に基づいて前記パケットの第2のエラーチェックを実行するステップと、
前記第1のエラーチェックが失敗する場合、または前記再構築された値が前記予想値と異なる場合のいずれかにおいて前記パケットを破棄するステップと
を前記装置に実行させる、コンピュータプログラム。
【請求項３５】
局であって、
少なくとも1つのアンテナと、
パケットの残りの部分に基づいて生成された第1のエラーチェック値と、前記局によって知られているかまたは予想される情報および前記パケット内の送信された他の情報に基づいて生成された第2のエラーチェック値とを備える前記パケットを前記少なくとも1つのアンテナを介して別の局から受信するように構成された受信機であって、前記パケット内の送信された前記他の情報は前記第1のエラーチェック値を含まない、受信機と、
前記第1のエラーチェック値と、前記パケットの前記残りの部分に関して前記局によって生成されたエラーチェック値との比較に基づいて前記パケットの第1のエラーチェックを実行し、
前記第1のエラーチェックが合格する場合、前記第2のエラーチェック値および前記パケット内の送信された前記他の情報に基づいて、前記知られているかまたは予想される情報の値を再構築し、
前記再構築された値と、前記局によって知られているかまたは予想される前記情報の予想値との比較に基づいて前記パケットの第2のエラーチェックを実行し、
前記第1のエラーチェックが失敗する場合、または前記再構築された値が前記予想値と異なる場合のいずれかにおいて前記パケットを破棄する
ように構成された処理システムと
を備える、局。
【発明の詳細な説明】
【技術分野】
【０００１】
本特許出願は、いずれも本出願の譲受人に譲渡され、適用可能なあらゆる目的のために以下に完全に記載されているかのように参照により本明細書に明確に組み込まれる、2013年1月7日に出願された米国仮特許出願第61/749,667号、および2013年1月24日に出願された米国仮特許出願第61/756,141号の利益を主張する。
【０００２】
本開示のいくつかの態様は、概して、ワイヤレス通信に関し、より詳細には、ワイヤレス送信用の追加のエラー保護を提供し得る技法に関する。
【背景技術】
【０００３】
ワイヤレス通信ネットワークは、音声、ビデオ、パケットデータ、メッセージング、ブロードキャストなどの、様々な通信サービスを提供するために広く展開されている。これらのワイヤレスネットワークは、利用可能なネットワークリソースを共有することによって複数のユーザをサポートすることが可能な多元接続ネットワークとすることができる。そのような多元接続ネットワークの例には、符号分割多元接続(CDMA)ネットワーク、時分割多元接続(TDMA)ネットワーク、周波数分割多元接続(FDMA)ネットワーク、直交FDMA(OFDMA)ネットワーク、およびシングルキャリアFDMA(SC-FDMA)ネットワークがある。
【０００４】
より大きいカバー範囲および通信範囲の増大を求める要望に対処するために、様々な方式が開発されている。そのような1つの方式は、米国電気電子技術者協会(IEEE)802.11ahタスクフォースによって開発されているsub-1-GHz周波数範囲(たとえば、米国において902〜928MHzの範囲で運用されている)である。この開発は、他のIEEE802.11グループよりも大きいワイヤレス範囲を有し、より低い障害物損失を有する周波数範囲を利用することを望むことによって推進される。
【発明の概要】
【課題を解決するための手段】
【０００５】
本開示のいくつかの態様は、ワイヤレス通信のための装置を提供する。本装置は、通常、パケットの残りの部分に基づいて生成された第1のエラーチェック値と本装置によって知られているかまたは予想される情報およびパケット内の送信された他の情報に基づいて生成された第2のエラーチェック値とを備えるパケットを別の装置から受信するように構成された受信機と、第1のエラーチェック値とパケットの残りの部分に関して本装置によって生成されたエラーチェック値との比較に基づいてパケットの第1のエラーチェックを実行し、第2のエラーチェック値およびパケット内の送信された他の情報に基づいて知られているかまたは予想される情報の値を再構築し、再構築された値と本装置によって知られているかまたは予想される情報の予想値との比較に基づいてパケットの第2のエラーチェックを実行し、第1のエラーチェックが失敗する場合または再構築された値が予想値と異なる場合のいずれかにおいてパケットを破棄するように構成された処理システムとを含む。
【０００６】
本開示のいくつかの態様は、ワイヤレス通信のための装置を提供する。本装置は、通常、別の装置に送信されるべきパケットに関する、パケットの残りの部分に基づいて生成された第1のエラーチェック値を生成し、他の装置によって知られているかまたは予想される情報およびパケット内の送信された他の情報に基づいてパケットに関する第2のエラーチェック値を生成するように構成された処理システムと、第1および第2のエラーチェック値を備えるパケットを他の装置に送信するように構成された送信機とを含む。
【０００７】
本開示のいくつかの態様は、ワイヤレス通信のための装置を提供する。本装置は、通常、パケットの残りの部分に基づいて生成された第1のエラーチェック値と本装置によって知られているかまたは予想される情報およびパケット内の送信された他の情報に基づいて生成された第2のエラーチェック値とを備えるパケットを別の装置から受信するための手段と、第1のエラーチェック値とパケットの残りの部分に関して本装置によって生成されたエラーチェック値との比較に基づいてパケットの第1のエラーチェックを実行するための手段と、第2のエラーチェック値およびパケット内の送信された他の情報に基づいて知られているかまたは予想される情報の値を再構築するための手段と、再構築された値と本装置によって知られているかまたは予想される情報の予想値との比較に基づいてパケットの第2のエラーチェックを実行するための手段と、第1のエラーチェックが失敗する場合または再構築された値が予想値と異なる場合のいずれかにおいてパケットを破棄するための手段とを含む。
【０００８】
本開示のいくつかの態様は、ワイヤレス通信のための装置を提供する。本装置は、通常、別の装置に送信されるべきパケットに関する、パケットの残りの部分に基づいて生成された第1のエラーチェック値を生成するための手段と、他の装置によって知られているかまたは予想される情報およびパケット内の送信された他の情報に基づいてパケットに関する第2のエラーチェック値を生成するための手段と、第1および第2のエラーチェック値を備えるパケットを他の装置に送信するための手段とを含む。
【０００９】
本開示のいくつかの態様は、装置によるワイヤレス通信のための方法を提供する。本方法は、通常、パケットの残りの部分に基づいて生成された第1のエラーチェック値と本装置によって知られているかまたは予想される情報およびパケット内の送信された他の情報に基づいて生成された第2のエラーチェック値とを備えるパケットをデバイスから受信するステップと、第1のエラーチェック値とパケットの残りの部分に関して本装置によって生成されたエラーチェック値との比較に基づいてパケットの第1のエラーチェックを実行するステップと、第2のエラーチェック値およびパケット内の送信された他の情報に基づいて知られているかまたは予想される情報の値を再構築するステップと、再構築された値と本装置によって知られているかまたは予想される情報の予想値との比較に基づいてパケットの第2のエラーチェックを実行するステップと、第1のエラーチェックが失敗する場合または再構築された値が予想値と異なる場合のいずれかにおいてパケットを破棄するステップとを含む。
【００１０】
本開示のいくつかの態様は、装置によるワイヤレス通信のための方法を提供する。本方法は、通常、別の装置に送信されるべきパケットに関する、パケットの残りの部分に基づいて生成された第1のエラーチェック値を生成するステップと、他の装置によって知られているかまたは予想される情報およびパケット内の送信された他の情報に基づいてパケットに関する第2のエラーチェック値を生成するステップと、第1および第2のエラーチェック値を備えるパケットを他の装置に送信するステップとを含む。
【００１１】
本開示のいくつかの態様は、命令が記憶されたコンピュータ可読媒体を備える、装置によるワイヤレス通信用のコンピュータプログラム製品を提供する。本命令は、通常、パケットの残りの部分に基づいて生成された第1のエラーチェック値と本装置によって知られているかまたは予想される情報およびパケット内の送信された他の情報に基づいて生成された第2のエラーチェック値とを備えるパケットを別の装置から受信し、第1のエラーチェック値とパケットの残りの部分に関して本装置によって生成されたエラーチェック値との比較に基づいてパケットの第1のエラーチェックを実行し、第2のエラーチェック値およびパケット内の送信された他の情報に基づいて知られているかまたは予想される情報の値を再構築し、再構築された値と本装置によって知られているかまたは予想される情報の予想値との比較に基づいてパケットの第2のエラーチェックを実行し、第1のエラーチェックが失敗する場合または再構築された値が予想値と異なる場合のいずれかにおいてパケットを破棄するための1つまたは複数のプロセッサによって実行可能である。
【００１２】
本開示のいくつかの態様は、命令が記憶されたコンピュータ可読媒体を備える、装置によるワイヤレス通信用のコンピュータプログラム製品を提供する。本命令は、通常、別の装置に送信されるべきパケットに関する、パケットの残りの部分に基づいて生成された第1のエラーチェック値を生成し、他の装置によって知られているかまたは予想される情報およびパケット内の送信された他の情報に基づいてパケットに関する第2のエラーチェック値を生成し、第1および第2のエラーチェック値を備えるパケットを他の装置に送信するための1つまたは複数のプロセッサによって実行可能である。
【００１３】
本開示のいくつかの態様は、局を提供する。本局は、通常、少なくとも1つのアンテナと、パケットの残りの部分に基づいて生成された第1のエラーチェック値と本装置によって知られているかまたは予想される情報およびパケット内の送信された他の情報に基づいて生成された第2のエラーチェック値とを備えるパケットを少なくとも1つのアンテナを介して別の局から受信するように構成された受信機と、第1のエラーチェック値とパケットの残りの部分に関して本局によって生成されたエラーチェック値との比較に基づいてパケットの第1のエラーチェックを実行し、第2のエラーチェック値およびパケット内の送信された他の情報に基づいて知られているかまたは予想される情報の値を再構築し、再構築された値と本局によって知られているかまたは予想される情報の予想値との比較に基づいてパケットの第2のエラーチェックを実行し、第1のエラーチェックが失敗する場合または再構築された値が予想値と異なる場合のいずれかにおいてパケットを破棄するように構成された処理システムとを含む。
【００１４】
本開示のいくつかの態様は、局を提供する。本局は、通常、少なくとも1つのアンテナと、別の局に送信されるべきパケットに関する、パケットの残りの部分に基づいて生成された第1のエラーチェック値を生成し、他の局によって知られているかまたは予想される情報およびパケット内の送信された他の情報に基づいてパケットに関する第2のエラーチェック値を生成するように構成された処理システムと、第1および第2のエラーチェック値を備えるパケットを少なくとも1つのアンテナを介して他の局に送信するように構成された送信機とを含む。
【００１５】
本開示の上述の特徴を詳細に理解することができるように、添付の図面にそのいくつかを示す諸態様を参照することによって、上記で簡単に要約したが、そのより具体的な説明を得ることができる。ただし、この説明は他の等しく効果的な態様を認め得るので、添付の図面は、本開示のいくつかの典型的な態様のみを示し、したがって、その範囲を限定するものと見なすべきではないことに留意されたい。
【図面の簡単な説明】
【００１６】
【図１】本開示のいくつかの態様による、例示的なワイヤレス通信ネットワークの図である。
【図２】本開示のいくつかの態様による、例示的なアクセスポイントおよびユーザ端末のブロック図である。
【図３】本開示のいくつかの態様による、例示的なワイヤレスデバイスのブロック図である。
【図４Ａ】本開示の態様が適用され得る、例示的なフレームフォーマットを示す図である。
【図４Ｂ】本開示の態様が適用され得る、例示的なフレームフォーマットを示す図である。
【図５】本開示のいくつかの態様による、受信側によるワイヤレス通信の例示的な動作のブロック図である。
【図５Ａ】図5に示す動作を実行することが可能な例示的な手段を示す図である。
【図６】本開示のいくつかの態様による、発信側によるワイヤレス通信の例示的な動作のブロック図である。
【図６Ａ】図6に示す動作を実行することが可能な例示的な手段を示す図である。
【図７】本開示のいくつかの態様による、追加のエラー保護を有する例示的なフレームフォーマットを示す図である。
【図８Ａ】本開示の態様がブロック肯定応答フレームに適用され得る、例示的な実施形態を示す図である。
【図８Ｂ】本開示の態様がブロック肯定応答フレームに適用され得る、例示的な実施形態を示す図である。
【図９Ａ】本開示の態様がPS-Pollフレームに適用され得る、例示的な実施形態を示す図である。
【図９Ｂ】本開示の態様がPS-Pollフレームに適用され得る、例示的な実施形態を示す図である。
【図１０】本開示の態様がページングフレームに適用され得る、例示的な実施形態を示す図である。
【発明を実施するための形態】
【００１７】
付属書類(APPENDIX)は、本開示の技法を適用するための例示的な詳細を含む。
【００１８】
添付の図面を参照しながら本開示の様々な態様について以下でより十分に説明する。ただし、本開示は、多くの異なる形態で具体化され得るものであり、本開示全体にわたって提示される任意の特定の構造または機能に限定されるものと解釈すべきではない。むしろ、これらの態様は、本開示が徹底的で完全になり、本開示の範囲を当業者に十分に伝えるように与えられるものである。本明細書の教示に基づいて、本開示の範囲は、本開示の任意の他の態様とは無関係に実施されるにせよ、本開示の任意の他の態様と組み合わせて実施されるにせよ、本明細書で開示される本開示の任意の態様を包含するものであることを、当業者には諒解されたい。たとえば、本明細書に記載の態様をいくつ使用しても、装置を実装することができ、または方法を実施することができる。さらに、本開示の範囲は、本明細書に記載の本開示の様々な態様に加えてまたはそれらの態様以外に、他の構造、機能、または構造および機能を使用して実施されるそのような装置またはそのような方法を包含するものとする。本明細書で開示される本開示のいずれの態様も請求項の1つまたは複数の要素によって具体化され得ることを理解されたい。
【００１９】
本明細書では特定の態様について説明するが、これらの態様の多くの変形形態および置換は本開示の範囲内に入る。好ましい態様のいくつかの利益および利点について説明するが、本開示の範囲は特定の利益、使用、または目的に限定されるものではない。むしろ、本開示の態様は、様々なワイヤレス技術、システム構成、ネットワーク、および送信プロトコルに広く適用可能であるものとし、そのうちのいくつかを例として図でおよび好ましい態様の以下の説明で示す。発明を実施するための形態および図面は、限定的なものではなく本開示を説明するものにすぎず、本開示の範囲は添付の特許請求の範囲およびその均等物によって規定される。
【００２０】
例示的なワイヤレス通信システム
本明細書で説明する技法は、直交多重化方式に基づく通信システムを含む様々なブロードバンドワイヤレス通信システムに使用され得る。そのような通信システムの例としては、空間分割多元接続(SDMA)、時分割多元接続(TDMA)、直交周波数分割多元接続(OFDMA)システム、シングルキャリア周波数分割多元接続(SC-FDMA)システムなどがある。SDMAシステムは、十分に異なる方向を利用して、複数のユーザ端末に属するデータを同時に送信することができる。TDMAシステムは、送信信号を異なるタイムスロットに分割することによって、複数のユーザ端末が同じ周波数チャネルを共有することを可能にすることができ、各タイムスロットは、異なるユーザ端末に割り当てられる。OFDMAシステムは、全システム帯域幅を複数の直交サブキャリアに分割する変調技法である、直交周波数分割多重(OFDM)を利用する。これらのサブキャリアは、トーン(tone)、ビン(bin)などと呼ぶこともできる。OFDMでは、各サブキャリアはデータによって独立して変調され得る。SC-FDMAシステムは、システム帯域幅にわたって分散されたサブキャリア上で送信するためのインターリーブされたFDMA(IFDMA)、隣接するサブキャリアのブロック上で送信するための局所FDMA(LFDMA)、または隣接するサブキャリアの複数のブロック上で送信するための拡張FDMA(EFDMA)を利用することができる。一般に、変調シンボルは、OFDMでは周波数領域で、SC-FDMAでは時間領域で送られる。
【００２１】
本明細書の教示は、様々な有線装置またはワイヤレス装置(たとえば、ノード)に組み込まれ得る(たとえば、その装置内に実装され、またはその装置によって実行され得る)。いくつかの態様では、本明細書の教示に従って実装されるワイヤレスノードはアクセスポイントまたはアクセス端末を備え得る。
【００２２】
アクセスポイント(「AP」)は、ノードB、無線ネットワークコントローラ(「RNC」)、進化型ノードB(eNB)、基地局コントローラ(「BSC」)、送受信基地局(「BTS」)、基地局(「BS」)、トランシーバ機能(「TF」)、無線ルータ、無線トランシーバ、基本サービスセット(「BSS」)、拡張サービスセット(「ESS」)、無線基地局(「RBS」)、または何らかの他の用語を備えるか、それらのいずれかとして実装されるか、あるいはそれらのいずれかとして知られていることがある。
【００２３】
アクセス端末(「AT」)は、加入者局、加入者ユニット、移動局(MS)、リモート局、リモート端末、ユーザ端末(UT)、ユーザエージェント、ユーザデバイス、ユーザ機器(UE)、ユーザ局、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル(「SIP」)電話、ワイヤレスローカルループ(「WLL」)局、携帯情報端末(「PDA」)、ワイヤレス接続機能を有するハンドヘルドデバイス、局(「STA」)、またはワイヤレスモデムに接続された何らかの他の適切な処理デバイスを備え得る。したがって、本明細書で教示される1つまたは複数の態様は、電話(たとえば、セルラー電話またはスマートフォン)、コンピュータ(たとえば、ラップトップ)、タブレット、ポータブル通信デバイス、ポータブルコンピューティングデバイス(たとえば、携帯情報端末)、エンターテインメントデバイス(たとえば、音楽またはビデオデバイス、あるいは衛星ラジオ)、全地球測位システム(GPS)デバイス、あるいはワイヤレスまたは有線媒体を介して通信するように構成された任意の他の適切なデバイスに組み込まれ得る。いくつかの態様では、ノードはワイヤレスノードである。たとえば、そのようなワイヤレスノードは、有線またはワイヤレス通信リンクを介して、ネットワーク(たとえば、インターネットまたはセルラーネットワークなどのワイドエリアネットワーク)のための、またはネットワークへの接続性を与え得る。
【００２４】
図1に、アクセスポイントおよびユーザ端末を有する多元接続多入力多出力(MIMO)システム100を示す。簡潔にするために、図1にはただ1つのアクセスポイント110を示してある。アクセスポイントは、一般に、ユーザ端末と通信する固定局であり、基地局または何らかの他の用語で呼ばれることもある。ユーザ端末は、固定でもモバイルでもよく、移動局、ワイヤレスデバイスまたは何らかの他の用語で呼ばれることもある。アクセスポイント110は、ダウンリンクおよびアップリンク上で所与の瞬間において1つまたは複数のユーザ端末120と通信することができる。ダウンリンク(すなわち、順方向リンク)はアクセスポイントからユーザ端末への通信リンクであり、アップリンク(すなわち、逆方向リンク)はユーザ端末からアクセスポイントへの通信リンクである。ユーザ端末はまた、別のユーザ端末とピアツーピアに通信することができる。システムコントローラ130は、アクセスポイントに結合し、アクセスポイントの調整および制御を行う。
【００２５】
以下の開示の部分では、空間分割多元接続(SDMA)によって通信することが可能なユーザ端末120について説明するが、いくつかの態様では、ユーザ端末120は、SDMAをサポートしないいくつかのユーザ端末も含むことができる。したがって、そのような態様では、AP110は、SDMAユーザ端末と非SDMAユーザ端末の両方と通信するように構成され得る。この手法は、より新しいSDMAユーザ端末が適宜に導入されることを可能にしながら、より古いバージョンのユーザ端末(「レガシー」局)が企業に配備されたままであることを都合よく可能にして、それらの有効寿命を延長することができる。
【００２６】
システム100は、ダウンリンクおよびアップリンク上でのデータ送信のために複数の送信アンテナおよび複数の受信アンテナを用いる。アクセスポイント110は、Nap個のアンテナを備え、ダウンリンク送信では多入力(MI)を表し、アップリンク送信では多出力(MO)を表す。K個の選択されたユーザ端末120のセットは、ダウンリンク送信では多出力を集合的に表し、アップリンク送信では多入力を集合的に表す。純粋なSDMAの場合、K個のユーザ端末のためのデータシンボルストリームが、何らかの手段によって、コード、周波数、または時間で多重化されない場合、Nap≧K≧1であることが望まれる。TDMA技法、CDMAを用いた様々なコードチャネル、OFDMを用いたサブバンドの独立セットなどを使用してデータシンボルストリームを多重化することができる場合、KはNapよりも大きくすることができる。各選択されたユーザ端末は、ユーザ固有のデータをアクセスポイントに送信し、および/またはアクセスポイントからユーザ固有のデータを受信する。一般に、各選択されたユーザ端末は、1つまたは複数のアンテナを備えることができる(すなわち、Nut≧1)。K個の選択されたユーザ端末は、同じまたは異なる数のアンテナを有することができる。
【００２７】
SDMAシステムは時分割複信(TDD)システムまたは周波数分割複信(FDD)システムとすることができる。TDDシステムの場合、ダウンリンクおよびアップリンクは同じ周波数帯域を共有する。FDDシステムの場合、ダウンリンクおよびアップリンクは異なる周波数帯域を使用する。MIMOシステム100はまた、送信のために単一のキャリアまたは複数のキャリアを利用することができる。各ユーザ端末は、(たとえば、コストを抑えるために)単一のアンテナを備えることができ、または(たとえば、追加費用をサポートすることができる場合)複数のアンテナを備えることができる。システム100はまた、送信/受信を異なるタイムスロットに分割することによって、ユーザ端末120が同じ周波数チャネルを共有する場合、TDMAシステムであってもよく、各タイムスロットは、異なるユーザ端末120に割り当てられる。
【００２８】
図2に、MIMOシステム100におけるアクセスポイント110ならびに2つのユーザ端末120mおよび120xのブロック図を示す。アクセスポイント110は、Nt個のアンテナ224aから224tを備える。ユーザ端末120mは、Nut,m個のアンテナ252maから252muを備え、ユーザ端末120xは、Nut,x個のアンテナ252xaから252xuを備える。アクセスポイント110は、ダウンリンクでは送信エンティティであり、アップリンクでは受信エンティティである。各ユーザ端末120は、アップリンクでは送信エンティティであり、ダウンリンクでは受信エンティティである。本明細書で使用する場合、「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、下付き文字「dn」はダウンリンクを示し、下付き文字「up」はアップリンクを示し、Nup個のユーザ端末がアップリンク上での同時送信のために選択され、Ndn個のユーザ端末がダウンリンク上での同時送信のために選択され、Nupは、Ndnに等しいことも等しくないこともあり、NupおよびNdnは、静的な値であってもよく、またはスケジュール間隔ごとに変化することができる。アクセスポイントおよびユーザ端末においてビームステアリングまたは何らかの他の空間処理技法が使用され得る。
【００２９】
アップリンク上では、アップリンク送信のために選択された各ユーザ端末120において、送信(TX)データプロセッサ288は、データソース286からトラフィックデータを受信し、コントローラ280から制御データを受信する。TXデータプロセッサ288は、ユーザ端末のための選択されたレートに関連付けられたコーディングおよび変調方式に基づいて、ユーザ端末のためのトラフィックデータを処理(たとえば、符号化、インターリーブ、および変調)し、データシンボルストリームを与える。TX空間プロセッサ290は、データシンボルストリーム上で空間処理を実行し、Nut,m個のアンテナにNut,m個の送信シンボルストリームを与える。各送信機ユニット(TMTR)254は、アップリンク信号を生成するために、それぞれの送信シンボルストリームを受信し、処理(たとえば、アナログ変換、増幅、フィルタ処理、および周波数アップコンバート)する。Nut,m個の送信機ユニット254は、Nut,m個のアンテナ252からアクセスポイントへの送信のためのNut,m個のアップリンク信号を与える。
【００３０】
アップリンク上での同時送信のためにNup個のユーザ端末をスケジュールしてもよい。これらのユーザ端末の各々は、そのデータシンボルストリームに対して空間処理を実行し、アップリンク上で送信シンボルストリームのそのセットをアクセスポイントに送信する。
【００３１】
アクセスポイント110において、Nap個のアンテナ224aから224apは、アップリンク上で送信するすべてのNup個のユーザ端末からアップリンク信号を受信する。各アンテナ224は、受信信号をそれぞれの受信機ユニット(RCVR)222に与える。各受信機ユニット222は、送信機ユニット254によって実行された処理を補足する処理を実行し、受信シンボルストリームを与える。RX空間プロセッサ240は、Nap個の受信機ユニット222からのNap個の受信シンボルストリームに対して受信機空間処理を実行し、Nup個の復元されたアップリンクデータシンボルストリームを与える。受信機空間処理は、チャネル相関行列反転(CCMI)、最小平均2乗誤差(MMSE)、ソフト干渉消去(SIC)、または何らかの他の技法に従って実行される。各復元されたアップリンクデータシンボルストリームは、それぞれのユーザ端末によって送信されたデータシンボルストリームの推定値である。RXデータプロセッサ242は、復号データを得るために、そのストリームのために使用されたレートに応じて各復元されたアップリンクデータシンボルストリームを処理(たとえば、復調、デインターリーブ、および復号)する。各ユーザ端末の復号データは、記憶のためにデータシンク244に与えられ、かつ/またはさらなる処理のためにコントローラ230に与えられ得る。
【００３２】
ダウンリンク上では、アクセスポイント110において、TXデータプロセッサ210は、ダウンリンク送信のためにスケジュールされたNdn個のユーザ端末のためのデータソース208からトラフィックデータを受信し、コントローラ230から制御データを受信し、場合によってはスケジューラ234から他のデータを受信する。様々なタイプのデータは様々なトランスポートチャネル上で送られ得る。TXデータプロセッサ210は、そのユーザ端末のために選択されたレートに基づいて各ユーザ端末のトラフィックデータを処理(たとえば、符号化、インターリーブ、および変調)する。TXデータプロセッサ210は、Ndn個のダウンリンクデータシンボルストリームをNdn個のユーザ端末に与える。TX空間プロセッサ220は、Ndn個のダウンリンクデータシンボルストリームに対して空間処理(本開示に記載されるプリコーディングまたはビームフォーミングなど)を実行し、Nap個の送信シンボルストリームをNap個のアンテナに与える。各送信機ユニット222は、ダウンリンク信号を生成するために、それぞれの送信シンボルストリームを受信し、処理する。Nap個の送信機ユニット222は、Nap個のアンテナ224からユーザ端末への送信のためのNap個のダウンリンク信号を与える。
【００３３】
各ユーザ端末120において、Nut,m個のアンテナ252は、アクセスポイント110からNap個のダウンリンク信号を受信する。各受信機ユニット254は、関連するアンテナ252からの受信信号を処理し、受信シンボルストリームを与える。RX空間プロセッサ260は、Nut,m個の受信機ユニット254からのNut,m個の受信シンボルストリームに対して受信機空間処理を実行し、復元されたダウンリンクデータシンボルストリームをユーザ端末に与える。受信機空間処理は、CCMI、MMSEまたは何らかの他の技法に従って実行される。RXデータプロセッサ270は、ユーザ端末のための復号データを得るために、復元されたダウンリンクデータシンボルストリームを処理(たとえば、復調、デインターリーブ、および復号)する。
【００３４】
各ユーザ端末120において、チャネル推定器278は、ダウンリンクチャネル応答を推定し、チャネル利得推定値、SNR推定値、ノイズ分散などを含み得るダウンリンクチャネル推定値を与える。同様に、チャネル推定器228は、アップリンクチャネル応答を推定し、アップリンクチャネル推定値を与える。各ユーザ端末用のコントローラ280は通常、ユーザ端末についての空間フィルタ行列を、そのユーザ端末についてのダウンリンクチャネル応答行列Hdn,mに基づいて導出する。コントローラ230は、アクセスポイントについての空間フィルタ行列を、実効アップリンクチャネル応答行列Hup,effに基づいて導出する。各ユーザ端末用のコントローラ280は、フィードバック情報(たとえば、ダウンリンクおよび/またはアップリンク固有ベクトル、固有値、SNR推定値など)をアクセスポイントに送ることができる。コントローラ230および280は、それぞれ、アクセスポイント110およびユーザ端末120における様々な処理ユニットの動作も制御する。
【００３５】
図3は、MIMOシステム100内で使用され得るワイヤレスデバイス302において利用され得る様々な構成要素を示す。ワイヤレスデバイス302は、本明細書で説明する様々な方法を実装するように構成され得るデバイスの一例である。ワイヤレスデバイス302は、アクセスポイント110またはユーザ端末120であり得る。
【００３６】
ワイヤレスデバイス302は、ワイヤレスデバイス302の動作を制御するプロセッサ304を含み得る。プロセッサ304は、中央処理ユニット(CPU)と呼ばれることもある。読取り専用メモリ(ROM)とランダムアクセスメモリ(RAM)の両方を含み得るメモリ306は、命令およびデータをプロセッサ304に与える。メモリ306の一部は、不揮発性ランダムアクセスメモリ(NVRAM)も含み得る。プロセッサ304は、通常、メモリ306内に記憶されたプログラム命令に基づいて論理演算および算術演算を実行する。メモリ306内の命令は、本明細書で説明する方法を実装するために実行可能であり得る。
【００３７】
ワイヤレスデバイス302は、ワイヤレスデバイス302と遠隔地との間のデータの送信および受信を可能にするための送信機310および受信機312を含み得る、ハウジング308も含み得る。送信機310と受信機312とを組み合わせてトランシーバ314を形成し得る。単一または複数の送信アンテナ316は、ハウジング308に取り付けられ、トランシーバ314に電気的に結合され得る。ワイヤレスデバイス302は、複数の送信機、複数の受信機、および複数のトランシーバも含み得る(図示せず)。
【００３８】
ワイヤレスデバイス302は、トランシーバ314によって受信された信号のレベルを検出および定量化する作業に使用され得る信号検出器318も含み得る。信号検出器318は、総エネルギー、シンボルごとのサブキャリア当たりのエネルギー、電力スペクトル密度、および他の信号などの信号を検出し得る。ワイヤレスデバイス302は、信号を処理する際に使用するためのデジタル信号プロセッサ(DSP)320も含み得る。
【００３９】
ワイヤレスデバイス302の様々な構成要素は、データバスに加えて、電力バス、制御信号バス、およびステータス信号バスを含み得るバスシステム322によって互いに結合され得る。
【００４０】
ワイヤレス送信用の追加のエラー保護
本開示の態様は、ワイヤレス送信用の追加のエラー保護を提供するために使用され得る技法を提供する。たとえば、本明細書で提示する技法は、送信されたヌルデータパケット(NDP)フレームのロバスト性の向上を実現するために適用され得る。
【００４１】
標準化機関は、いくつかのフレームにヌルデータパケット(NDP)を導入した。たとえば、NDPは、様々な制御フレーム(たとえば、CTS、PS-Poll、ページング、ACK、BlockAck)、管理フレーム(たとえば、プローブ要求、プローブ応答)、ビームフォーミングレポートポール(Beamforming Report Poll)などのために使用され得る。NDPの1つの共通の目的は、送信エンティティと受信側との間のチャネル状態の測定を実現することであり、送信エンティティおよび受信側は、そのような測定を報告し得る。
【００４２】
図4Aは、ショートトレーニングフィールド(STF)402、ロングトレーニングフィールド(LTF)404、および信号(SIG)フィールド408を含む一般的NDPフレームフォーマット(General NDP frame format)400を示す。図示のように、SIGフィールド408は、NDPタイプ410、フレーム識別子(Frame Identifier)412、フレーム情報(Frame Information)414、NDP表示(NDP Indication)416、CRC418、およびTAIL420などの様々なフィールド(またはサブフィールド)を含み得る。NDPタイプは、フレームタイプ(たとえば、CTS、ACK、BlockAckなど)を示し、フレーム識別子は、目的とされる受信機(および/または送信機)において知られている情報を使用することによってフレームの識別を可能にし、フレーム情報は、RX/TX間で交換される有用な情報を含む。
【００４３】
いくつかの態様によれば、一般的NDPフレームフォーマットは、1つまたは複数のフィールドまたはサブフィールドとしてのフレーム情報を含まないが、代わりに、この情報は、本明細書で説明する技法を使用してフレーム識別子内に符号化され(「隠され」)得る。以下で説明するように、このことは、送信の際のいくつかのエラーが検出されることを可能にすることによって追加のエラー保護を提供するのを助け得る。
【００４４】
CRCは、フレームの他のフィールドのうちの1つまたは複数に基づいて計算されたエラーチェック値の一例である、巡回冗長検査であり、NDPフレームを保護する。CRCは、通常、完全な保護を提供するには十分でない可能性がある、4ビットの長さである。たとえば、(たとえば、重度の干渉がある場合には)CRCチェックは合格し、フレーム情報ビットまたは他のフィールドのいずれかが交換される場合があり得る。
【００４５】
しかしながら、本開示の態様は、NDPフレームにおいて送信される情報の一部が受信デバイスによって知られている可能性があることを利用することによって追加のエラー保護を提供し得る。
【００４６】
たとえば、図4Bに示すように、送信局(TX STA)は、受信局(RX STA)において知られているフレーム識別子を含むNDPフレーム400を送信し得る。
【００４７】
一例として、フレーム識別子は、RX STAまたはTX STAのMACアドレスの一部であり得る。一実施形態では、フレーム識別子は、関連付け識別子(association identity)(AID)の一部およびRX STAまたはTX STAのMACアドレスの一部のうちの少なくとも1つであり得る。別の実施形態では、NDPフレームのフレーム識別子は、NDPフレーム応答を請求し得る、先に送信されたフレームから得られる情報から構成され得る。一例として、フレーム識別子は、FCS、CRC、スクランブラ、または、たとえばシーケンス番号、パケット番号などの、先に送信されたフレームに関連する他の情報の一部であり得る。
【００４８】
RX STAは、限定はしないが、CRCが合格し(パケットの残りの部分に関してRX STAにおいて計算されたCRCが、TX-STAにおいて計算されパケットとともに送信されたCRCとマッチングすることを意味する)、RX STAがフレーム識別子に基づく目的の受信機であるなど、1つまたは複数の条件を満たす場合に、NDPフレームを受け入れる可能性がある。言い換えれば、目的とされない受信機は、フレーム識別子に基づいてパケットを破棄する。RX STAは、他の理由で、たとえば、NDPタイプが誤っている場合に、パケットを破棄する場合もある。したがって、フレーム識別子は、高い確率でIDの一意性を保証するのに十分に理想的に長い(たとえば、BA IDは、暗黙のIDを用いて拡張され得る)。
【００４９】
しかしながら、本明細書で提示する態様は、CRCが合格し、フレーム情報フィールドに依然としてエラーが存在する可能性がある、これらの場合の保護を向上させるのを助ける可能性がある。本明細書で提示する技法によれば、フレーム識別子に任意のエラーが存在する場合、RX STAは、いずれにせよ、パケットを破棄することに留意されたい。別の実施形態では、本明細書で提示する態様は、情報のCRC保護を含まないフレームに保護を提供し得る。
【００５０】
図5は、本開示の態様による、受信装置によるワイヤレス通信の例示的な動作500のブロック図である。動作500は、図4Bで参照された受信局(RX-STA)などの装置によって実行され得る。
【００５１】
502では、本装置は、パケットの残りの部分に基づいて生成された第1のエラーチェック値と、本装置によって知られているかまたは予想される情報およびパケット内の送信された他の情報に基づいて生成された第2のエラーチェック値とを備えるパケットをデバイスから受信する。504では、本装置は、第1のエラーチェック値と、パケットの残りの部分に関して本装置によって生成されたエラーチェック値との比較に基づいてパケットの第1のエラーチェックを実行する。
【００５２】
506では、本装置は、第2のエラーチェック値およびパケット内の送信された他の情報に基づいて、知られているかまたは予想される情報の値を再構築する。508では、本装置は、再構築された値と、本装置によって知られているかまたは予想される情報の予想値との比較に基づいてパケットの第2のエラーチェックを実行する。510では、本装置は、第1のエラーチェックが失敗する場合、または再構築された値が予想値と異なる場合のいずれかにおいてパケットを破棄する。
【００５３】
図6は、本開示の態様による、送信装置によるワイヤレス通信の例示的な動作600のブロック図である。動作600は、図4Bで参照されたTX-STAなどの装置によって実行され得る。したがって、動作は、図5に示した動作と相補関係にあるものと見なされ得る。
【００５４】
602では、本装置は、デバイスによって知られているかまたは予想される情報およびパケット内の送信された他の情報に基づいて、パケットに関する第2のエラーチェック値を生成する。604では、本装置は、デバイスに送信されるべきパケットに関する、パケットの残りの部分に基づいて生成された第1のエラーチェック値を生成する。606では、本装置は、第1および第2のエラーチェック値を備えるパケットをデバイスに送信する。
【００５５】
このように、第2のエラーチェック値は、CRCが合格する際に、受信デバイスがパケットの残りの部分の最終的なエラー(すなわち、第1のエラーチェックによって検出されなかった残りのエラー)を検出することを可能にすることができる。値が受信機において知られている(または予想される)情報に基づいて第2のエラーチェック値を生成する一般的な概念は、図7に示す。
【００５６】
図7に示すように、NDPフレームフォーマット700は、図4に示す一般的フレームフォーマット400と共通するフィールドを有し得る。しかしながら、フレームフォーマット700は、第2のエラーチェック値712を有し得る。第2のエラーチェック値712は、変更されたフレーム識別子のタイプと見なされ得る(本明細書では「XFrame Identifier(Xフレーム識別子)」と呼ばれる)。
【００５７】
いくつかの態様によれば、送信エンティティ(たとえば、TX STA)において、このXフレーム識別子は、(従来の)フレーム識別子と既知のフレーム情報との間で論理XORを実行することによって生成され得る。Xフレーム識別子およびフレーム情報に使用され得るフィールドの例については、図8〜図10を参照して以下で説明する。
【００５８】
一実施形態では、送信エンティティ(たとえば、TX STA)は、フレーム情報の保護を向上させるために、フレーム識別子および既知のフレーム情報に、ウィンドウシフト関数(たとえば、mビットシフト)を用いて論理XOR(一般には論理関数)を複数回、再帰的に適用し得る。
【００５９】
このことは、フレーム識別子が6ビットの長さのシーケンス010010であり、既知のフレーム情報が4ビットの長さのシーケンス0101である、比較的簡単な例を考えることによって示すことができる。得られたXFrame Identifier=XOR(Frame Identifier,[00|Frame Information])は010111であり、ここで、等しい長さのフィールドを有するようにフレーム情報の先頭に2つの0が付加されている(連結されている)。この例では、フレーム情報と、フレーム識別子の複数の最下位ビット(LSB)との間で有効なXOR演算が実行されていることに留意されたい。Xフレーム識別子の最初の2つの最上位ビット(MSB)は、フレーム識別子のものと同じままである。この簡単な例では、送信エンティティは、送信されるべきパケット内にXFrame Identifier=010111およびFrame Information=0101を含む。
【００６０】
保護を向上させるために、送信エンティティは、たとえば、フレーム情報と再びXOR演算されるXフレーム識別子のビットを1ビットシフトさせた後に、もう1回XOR演算を適用し得る。この場合、新規のXframe Identifier=XOR(XFrame Identifier,[0|Frame Information|0])は、011101に等しい。一実施形態では、送信エンティティは、送信されるフレーム内に、Xフレーム識別子だけを含み、フレーム情報を含まない可能性がある。
【００６１】
当業者には明らかである可能性があるように、本明細書で提示する技法は、フレーム識別子フィールドの保護を向上させるために複数回、適用され得る。一例として、論理関数(たとえば、XOR演算)の適用の前に、第3のエラーチェック(たとえば、パリティビット)がフレーム識別子に適用され得る。この例では、フレーム識別子フィールドおよびパリティビットは、論理関数への入力値として与えられ得る。この例では、送信機は第1、第2、または第3のエラーチェックのうちのいずれかが失敗する場合にフレーム識別子フィールド内のエラーを検出することができる。
【００６２】
いずれの場合も、受信エンティティ(RX STA)では、次のように、受信されたXフレーム識別子および知られている/予想される情報を使用して、元のフレーム情報が再構築され得る。
Frame Identifier=XOR(Xframe Identifier,Frame Information)
このように、受信される際にフレーム情報内のいずれかのビットが正しくない場合、再構築されたフレーム識別子も誤っている(および予想値とマッチングしない)可能性がある。したがって、この場合、RX STAは、CRCが合格してもフレーム情報が正しくない、これらの場合のいくつかにおいてもパケットを破棄する可能性がある。
【００６３】
一実施形態では、受信エンティティは、Xフレーム識別子を含むがフレーム情報フィールドを含まないパケットを受信し得る。この実施形態では、受信機は、Xフレーム識別子に隠されたフレーム情報を得るためにXフレーム識別子およびその予想されるフレーム識別子にXOR関数を適用し得る。
【００６４】
前に説明した方式はフレーム情報内に現れ得るエラーのうちのいくつかを検出することができない可能性がある場合が存在し得ることに留意されたい。たとえば、CRCチェックを合格し、Xフレーム識別子の第1のビットの1つのエラーおよびフレーム情報の同じビット位置(すなわち、第1のビット)の別のエラーを有する、受信されたNDPフレームを考えられたい。この場合、前の方式によれば、フレーム識別子が予想された識別子である(Xフレーム識別子のエラーがフレーム情報内の同じ位置のエラーを打ち消すとき、フレーム識別子のエラーは正しい)ので、フレームは受け入れられる。このことは、次の簡単な例によって示すことができる。
TX_frame Identifier=10、TX_Frame_information=00=>TX_frame Identifier=10
同じ位置に同じエラー(反転した第1のビット)を有する破損したフレームを受信する場合、
RX_Xframe Identifier=00、RX_Frame_information=10
【００６５】
この場合、RX_XFrame IdentifierとRX_Frame_informationとのXOR演算=10であり、TX_frame Identifierと同じであるが、フレーム情報内のエラーである。追加の保護用に、以下で説明するルールのうちのいくつかを用いてこれらのタイプのエラーを検出するために、前に説明したように(および受信機におけるスペクトル方法で)、送信機において同じ技法を複数回、再帰的に適用することができる。
【００６６】
一実施形態では、送信機は、たとえば、次のように、フレーム情報と同じ長さを有する複数のサブインターバルにおけるフレーム識別子を分割することによって論理関数(我々の例ではXOR)を複数回、適用し得る。
1) XFrame Identifier1=XOR(Frame Identifier1,Frame Information)
2) Xframe_Identifier2=XOR(Frame Identifier2,Frame information)
受信機は、フレーム識別子の複数のサブインターバルを得るために、前に説明したように、受信されたXフレーム識別子において論理関数を適用し得る。別の実施形態では、ビットシフトまたはいくつかの他の関数に依拠しながら、論理関数が複数回、再帰的に適用され得る。我々の簡単な例では、再帰的に1ビットずつシフトしながら、受信機は、XOR関数を2回、適用することによってフレーム識別子を得ることができる。
【００６７】
図8Aおよび図8Bは、本明細書で提示する技法をNDP BlockAckフレームに適用する例を示す。図示のように、図8Aに示すタイプI NDP Block Ack800(1MHz PHYプリアンブル)では、開始シーケンス制御(Starting Sequence Control)フィールド値の任意の8ビット(TXおよびRXは、これらのビット、たとえば最上位ビット(MSB)の位置の共通の知識を有しなければならない)およびBAビットマップに基づいてエラーチェック値(たとえば、X Frame ID)を生成することによって、Block Ack(BA)ビットマップの(1オクテットの)エラーが検出され得る。
XOR(8MSB(SSC),BlockAck Bitmap)
【００６８】
受信エンティティが、たとえばSSCの8MSBの特定の値を予想するとき、このフィールドの再構築された値が予想値にマッチングしない場合、このことが、BAビットマップにおけるエラーを潜在的に示し得る。これが受信機において知られている(または予想される)情報であるとき、NDPタイプフィールド、BA IDフィールド、およびSSCフィールドの任意の場所で8ビットが選択され得ることに留意されたい。図8Bに示すように、タイプII NDP Block Ack850(2MHz PHYプリアンブル)では、任意の16ビット(TXおよびRXは、これらのビット、たとえばBlockACK IDの4ビットおよびSSCの12ビット(の連結)の位置の共通の知識を有しなければならない)およびBAビットマップに基づいてエラーチェック値(たとえば、X Frame ID)を生成することによって、Block Ack(BA)ビットマップの(2オクテットの)エラーが検出され得る。
XOR((BlockAck ID||SSC),BlockAck Bitmap)
【００６９】
予備ビット(Reserved bit)が、既知の情報(たとえば、0に設定される)または追加の情報(たとえば、TX info)のいずれかとして取り扱われ得ることが留意され得る。概して、BlockAck ID、開始シーケンス制御、NDPタイプ(およびそれらの一部の少なくとも1つまたは複数の組合せ)は、「変更された」フレーム識別子(第2のエラーチェック値)として取り扱われ得る。加えて、1つまたは複数の現在の予備ビットも使用され得る。BlockAckビットマップおよび(おそらく)Rsvdビットは、フレーム情報としても取り扱われ(生成された第2のエラーチェック値を用いて保護され)得る。
【００７０】
図9Aおよび図9Bは、本明細書で提示する技法をタイプI NDP PS-Pollフレーム900(図9A)およびタイプII NDP PS-Pollフレーム950(図9B)に適用する例を示す。図示のように、この場合、受信アドレス(RA)が、(第2のエラーチェック値を運ぶための)フレーム識別子として使用され得る。場合によっては、好ましい変調およびコーディング方式(MCS)フィールドの値、未知のデバイス識別子(UDI)の値、遅延した逆方向グラント(RDG)フィールドの値、または任意の組合せもしくは部分的な値は、フレーム情報として取り扱われ、第2のエラーチェック値を生成するために使用され(および第2のエラーチェック値によって保護され)得る。たとえば、UDIの5MSBが使用され得る。NDP BAフレームを参照しながら上記で説明したように、予備ビットも使用され得る。
【００７１】
図10は、本明細書で提示する技法をNDPページングフレーム1000に適用する例を示す。図示のように、この場合、P_IDフィールドが、フレーム識別子として使用され得る。場合によっては、チェックビーコンの値、部分的TSFの値、追加NDP(More NDP)の値、アップリンク/ダウンリンク表示フィールドの値、または任意の組合せもしくは部分的な値は、フレーム情報として取り扱われ、第2のエラーチェック値を生成するために使用され(および第2のエラーチェック値によって保護され)得る。NDP BAフレームを参照しながら上記で説明したように、予備ビットも使用され得る。
【００７２】
本明細書で提示する技法は、他のタイプのNDPフレームに対するエラー保護を向上させるために適用することもできる。たとえば、NDP Ackフレームにおいて、ACK IDは、フレーム識別子として使用され得るが、残りのフィールド(たとえば、追加データ、持続時間など)は、フレーム情報として使用され得る。NDP CTSフレームにおいて、CTS ID(partial TAなど)は、フレーム識別子として使用され得るが、残りのフィールドは、フレーム情報として使用され得る。NDPプローブ要求および応答フレームに、これらの技法を使用することもできる。この場合、上記で説明したものと同様の考慮を行うことができ、たとえば、受信機において知られている情報は、フレーム識別子として使用され、残りのフィールドは、フレーム情報として使用され得る。
【００７３】
上記で説明した方法の様々な動作は、対応する機能を実行することが可能な任意の適切な手段によって実行され得る。手段は、限定はしないが、回路、特定用途向け集積回路(ASIC)、またはプロセッサを含む、様々なハードウェアおよび/またはソフトウェア構成要素(複数可)および/またはモジュール(複数可)を含むことができる。一般に、図に示される動作がある場合、それらの動作は、同様の番号を有する対応する動作のミーンズプラスファンクション構成要素を有し得る。たとえば、図5および図6に示す動作500および600は、図5Aおよび図6Aに示す手段500Aおよび600Aにそれぞれ対応する。
【００７４】
たとえば、送信するための手段は、図2に示すアクセスポイント110の送信機(たとえば、送信機ユニット222)および/もしくはアンテナ(複数可)224、または図3に示す送信機310および/もしくはアンテナ(複数可)316を備え得る。受信するための手段は、図2に示すアクセスポイント110の受信機(たとえば、受信機ユニット222)および/もしくはアンテナ(複数可)224、または図3に示す受信機312および/もしくはアンテナ(複数可)316を備え得る。処理するための手段、判定するための手段、検出するための手段、走査するための手段、選択するための手段、または動作を終了させるための手段は、図2に示すアクセスポイント110のRXデータプロセッサ242、TXデータプロセッサ210、および/もしくはコントローラ230、または図3に描かれたプロセッサ304および/もしくはDSP320などの、1つまたは複数のプロセッサを含み得る処理システムを備え得る。
【００７５】
本明細書で使用する場合、「決定すること」という用語は、様々なアクションを含む。たとえば、「決定すること」は、算出すること、計算すること、処理すること、導出すること、調査すること、検索すること(たとえば、テーブル、データベース、または別のデータ構造を検索すること)、確認することなどを含み得る。また、「決定すること」は、受信すること(たとえば、情報を受信すること)、アクセスすること(たとえば、メモリ内のデータにアクセスすること)などを含み得る。また、「決定すること」は、解決すること、選択すること、選ぶこと、確立することなどを含み得る。
【００７６】
本明細書で使用する場合、項目のリスト「のうちの少なくとも1つ」を指す句は、個々のメンバーを含む、それらの項目の任意の組合せを指す。一例として、「a、b、またはcのうちの少なくとも1つ」は、a、b、c、a-b、a-c、b-c、およびa-b-cを包含するものとする。
【００７７】
本開示に関連して説明した様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)または他のプログラマブル論理デバイス(PLD)、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、DSPとマイクロプロセッサとの組合せ、複数のマイクロプロセッサ、DSPコアと連携する1つまたは複数のマイクロプロセッサ、あるいは任意の他のそのような構成として実装され得る。
【００７８】
本開示に関連して説明した方法またはアルゴリズムのステップは、直接ハードウェアで具体化されるか、プロセッサによって実行されるソフトウェアモジュールで具体化されるか、またはその2つの組合せで具体化され得る。ソフトウェアモジュールは、当技術分野で知られている任意の形式の記憶媒体内に常駐することができる。使用され得る記憶媒体のいくつかの例には、ランダムアクセスメモリ(RAM)、読取り専用メモリ(ROM)、フラッシュメモリ、EPROMメモリ、EEPROMメモリ、レジスタ、ハードディスク、取外し可能ディスク、CD-ROMなどがある。ソフトウェアモジュールは、単一の命令、または多数の命令を備えることができ、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込むことができるように、プロセッサに結合され得る。代替として、記憶媒体はプロセッサに一体化され得る。
【００７９】
本明細書で開示される方法は、記載の方法を達成するための1つまたは複数のステップまたはアクションを備える。方法のステップおよび/またはアクションは、特許請求の範囲から逸脱することなく、交換され得る。言い換えれば、ステップまたはアクションの特定の順序が指定されない限り、特定のステップおよび/またはアクションの順序および/または使用は特許請求の範囲の範囲から逸脱することなく変更され得る。
【００８０】
説明した機能は、ハードウェア、ソフトウェア、ファームウェア、またはそれらの任意の組合せで実装され得る。ハードウェアで実装される場合、例示的なハードウェア構成は、ワイヤレスノード内の処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースを使用して、とりわけ、ネットワークアダプタを処理システムにバスを介して接続することができる。ネットワークアダプタを使用して、PHYレイヤの信号処理機能を実施することができる。ユーザ端末120(図1参照)の場合、ユーザインターフェース(たとえば、キーパッド、ディスプレイ、マウス、ジョイスティックなど)をバスに接続することもできる。バスは、タイミングソース、周辺機器、電圧調整器、電力管理回路などの様々な他の回路をリンクさせることもでき、これは当技術分野ではよく知られているので、これ以上説明しない。
【００８１】
プロセッサは、機械可読媒体に記憶されたソフトウェアの実行を含む、バスおよび一般的な処理を管理する役割を担うことができる。プロセッサは、1つまたは複数の汎用および/または専用プロセッサを用いて実装され得る。例としては、マイクロプロセッサ、マイクロコントローラ、DSPプロセッサ、およびソフトウェアを実行することができる他の回路がある。ソフトウェアは、ソフトウェア、ファームウェア、ミドルウェア、マイクロコード、ハードウェア記述言語、またはその他の名称で呼ばれるかどうかにかかわらず、命令、データ、またはそれらの任意の組合せを意味するように広く解釈されるものである。機械可読媒体は、例として、RAM(ランダムアクセスメモリ)、フラッシュメモリ、ROM(読取り専用メモリ)、PROM(プログラマブル読取り専用メモリ)、EPROM(消去可能プログラマブル読取り専用メモリ)、EEPROM(電気的消去可能プログラマブル読取り専用メモリ)、レジスタ、磁気ディスク、光ディスク、ハードドライブ、もしくは任意の他の適切な記憶媒体、またはそれらの任意の組合せを含むことができる。機械可読媒体はコンピュータプログラム製品で具体化され得る。コンピュータプログラム製品は、パッケージング材料を備え得る。
【００８２】
ハードウェア実装形態では、機械可読媒体は、プロセッサとは別個の処理システムの一部であり得る。しかし、当業者なら容易に理解するように、機械可読媒体またはその任意の部分は処理システムの外部に存在することができる。例として、機械可読媒体は、すべてバスインターフェースを介してプロセッサがアクセスし得る、送信線路、データによって変調された搬送波、および/またはワイヤレスノードとは別個のコンピュータ製品を含み得る。代替的または追加的に、機械可読媒体またはその任意の部分は、キャッシュおよび/または汎用レジスタファイルがそうであり得るようにプロセッサに統合することができる。
【００８３】
処理システムは、すべて外部バスアーキテクチャを介して他のサポート回路と互いにリンクされる、プロセッサ機能を与える1つまたは複数のマイクロプロセッサと、機械可読媒体の少なくとも一部分を与える外部メモリとを有する汎用処理システムとして構成され得る。代替的に、処理システムは、プロセッサを有するASIC(特定用途向け集積回路)と、バスインターフェースと、アクセス端末の場合はユーザインターフェースと、サポート回路と、単一のチップに統合された機械可読媒体の少なくとも一部分とを用いて、あるいは1つまたは複数のFPGA(フィールドプログラマブルゲートアレイ)、PLD(プログラマブル論理デバイス)、コントローラ、状態機械、ゲート論理、個別ハードウェア構成要素、もしくは任意の他の適切な回路、または本開示全体にわたって説明した様々な機能を実行することができる回路の任意の組合せを用いて、実装され得る。当業者なら、特定の適用例および全体的なシステムに課される全体的な設計制約に応じて、どのようにしたら処理システムについて説明した機能を最も良く実装できるかを理解されよう。
【００８４】
機械可読媒体は、いくつかのソフトウェアモジュールを備え得る。ソフトウェアモジュールは、プロセッサによって実行されたときに、処理システムに様々な機能を実行させる命令を含む。ソフトウェアモジュールは、送信モジュールと受信モジュールとを含み得る。各ソフトウェアモジュールは、単一の記憶デバイス内に常駐することができ、または複数の記憶デバイスに分散することができる。例として、トリガイベントが発生したときに、ソフトウェアモジュールをハードドライブからRAMにロードすることができる。ソフトウェアモジュールの実行中、プロセッサは、アクセス速度を高めるために、命令のいくつかをキャッシュにロードすることができる。次いで、1つまたは複数のキャッシュラインを、プロセッサによる実行のために汎用レジスタファイルにロードすることができる。以下でソフトウェアモジュールの機能に言及する場合、そのような機能は、そのソフトウェアモジュールからの命令を実行したときにプロセッサによって実装されることが理解されよう。
【００８５】
ソフトウェアで実装される場合、機能は、1つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、コンピュータによってアクセスすることができる任意の利用可能な媒体であり得る。限定ではなく例として、そのようなコンピュータ可読媒体は、RAM、ROM、EEPROM、CD-ROMまたは他の光ディスクストレージ、磁気ディスクストレージまたは他の磁気記憶デバイス、あるいは命令またはデータ構造の形態の所望のプログラムコードを搬送または記憶するために使用することができ、コンピュータによってアクセスすることができる任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線(DSL)、または赤外線(IR)、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用する場合、ディスク(disk)およびディスク(disc)は、コンパクトディスク(CD)、レーザーディスク(登録商標)、光ディスク、デジタル多用途ディスク(DVD)、フロッピー(登録商標)ディスク、およびブルーレイ(登録商標)ディスクを含み、ディスク(disk)は、通常、磁気的にデータを再生し、ディスク(disc)は、レーザーで光学的にデータを再生する。したがって、いくつかの態様では、コンピュータ可読媒体は、非一時的なコンピュータ可読媒体(たとえば、有形媒体)を備え得る。さらに、他の態様では、コンピュータ可読媒体は、一時的なコンピュータ可読媒体(たとえば、信号)を備え得る。上記の組合せもコンピュータ可読媒体の範囲内に含めるべきである。
【００８６】
したがって、いくつかの態様は、本明細書で提示する動作を実行するためのコンピュータプログラム製品を備え得る。たとえば、そのようなコンピュータプログラム製品は、本明細書で説明した動作を実行するために1つまたは複数のプロセッサによって実行可能である命令を記憶した(および/または符号化した)コンピュータ可読媒体を備え得る。いくつかの態様では、コンピュータプログラム製品はパッケージング材料を含み得る。
【００８７】
さらに、本明細書で説明した方法および技法を実行するためのモジュールおよび/または他の適切な手段は、適用可能な場合、ユーザ端末および/または基地局によってダウンロードおよび/またはその他の方法で取得され得ることを諒解されたい。たとえば、本明細書で説明した方法を実行するための手段の転送を容易にするために、そのようなデバイスをサーバに結合することができる。代替的に、本明細書で説明した様々な方法を記憶手段(たとえば、RAM、ROM、コンパクトディスク(CD)またはフロッピー(登録商標)ディスクなどの物理的記憶媒体など)を介して提供することができ、その結果、ユーザ端末および/または基地局は、その記憶手段をデバイスに結合または提供したすぐ後に、それらの様々な方法を取得することができるようになる。さらに、本明細書で説明する方法および技法をデバイスに与えるための任意の他の適切な技法を利用することができる。
【００８８】
特許請求の範囲は、上記に示した正確な構成および構成要素に限定されないことを理解されたい。上記で説明した方法および装置の構成、動作および詳細において、特許請求の範囲から逸脱することなく、様々な修正、変更および変形を行うことができる。
【符号の説明】
【００８９】
100  多入力多出力(MIMO)システム
110  アクセスポイント
120、120m、120x  ユーザ端末
130  システムコントローラ
208、286  データソース
210、288  TXデータプロセッサ
220、290  TX空間プロセッサ
222  受信機ユニット(RCVR)、送信機ユニット(TMTR)
224、252  アンテナ
228、278  チャネル推定器
230、280  コントローラ
234  スケジューラ
240、260  RX空間プロセッサ
242、270  RXデータプロセッサ
254  受信機ユニット(RCVR)、送信機ユニット(TMTR)
302  ワイヤレスデバイス
304  プロセッサ
306  メモリ
308  ハウジング
310  送信機
312  受信機
314  トランシーバ
316  送信アンテナ
318  信号検出器
320  デジタル信号プロセッサ(DSP)
322  バスシステム
400  一般的NDPフレームフォーマット
410  NDPタイプ
412  フレーム識別子
414  フレーム情報
416  NDP表示
418  CRC
420  TAIL
700  NDPフレームフォーマット
712  第2のエラーチェック値
800  Type-I NDP Block Ack
850  Type-II NDP Block Ack
900  Type-1 NDP PS-Pollフレーム
950  Type-II NDP PS-Pollフレーム
1000  NDPページングフレーム
【図１】
2017112628.tif 000003
【図２】
2017112628.tif 000004
【図３】
2017112628.tif 000005
【図４Ａ】
2017112628.tif 000006
【図４Ｂ】
2017112628.tif 000007
【図５】
2017112628.tif 000008
【図５Ａ】
2017112628.tif 000009
【図６】
2017112628.tif 000010
【図６Ａ】
2017112628.tif 000011
【図７】
2017112628.tif 000012
【図８Ａ】
2017112628.tif 000013
【図８Ｂ】
2017112628.tif 000014
【図９Ａ】
2017112628.tif 000015
【図９Ｂ】
2017112628.tif 000016
【図１０】
2017112628.tif 000017
【外国語明細書】
2017112628000001.pdf